(57)【要約】【課題】高い形状精度及び複屈折の小さいプラスチック光学素子を提供し、また該プラスチック光学素子を用いた性能の優れた光学ユニットを提供する。【解決手段】金型により成形されてなり、１つ以上の光学面１と、非光学面２とから構成されるプラスチック光学素子１０において、前記光学面１に隣接する非光学面２の該光学面１との境界部分の少なくとも一部に該非光学面２側に突出する凸形状部分１３を有し、該凸形状部分１３の非光学面２側の根元の少なくとも一部に前記金型からの不完全転写部であるひけ１２を有する。【選択図】図７
2011022320.tif 000002
【特許請求の範囲】
【請求項１】
金型により成形されてなり、１つ以上の光学面と、非光学面とから構成されるプラスチック光学素子において、
前記光学面に隣接する非光学面の該光学面との境界部分の少なくとも一部に該非光学面側に突出する凸形状部分を有し、
該凸形状部分の非光学面側の根元の少なくとも一部に前記金型からの不完全転写部を有することを特徴とするプラスチック光学素子。
【請求項２】
前記凸形状部分の根元の不完全転写部は、金型による樹脂成形時に凸形状部分となる部分の根元に気体を吹き付けて形成されてなることを特徴とする請求項１に記載のプラスチック光学素子。
【請求項３】
前記凸形状部分は、前記光学面に隣接する非光学面の該光学面との境界部分の全域に設けられてなることを特徴とする請求項１に記載のプラスチック光学素子。
【請求項４】
前記凸形状部分と前記非光学面との間に、該非光学面よりも広い面を有する駄肉部分を備えることを特徴とする請求項１に記載のプラスチック光学素子。
【請求項５】
前記凸形状部分の一部は、前記光学面を形成する金型部分により成形されてなることを特徴とする請求項１に記載のプラスチック光学素子。
【請求項６】
前記凸形状部分は、少なくとも１つの側面に抜き勾配を有することを特徴とする請求項１に記載のプラスチック光学素子。
【請求項７】
前記非光学面は、前記凸形状部分の根元の不完全転写部とは別に、前記金型からの不完全転写部を有することを特徴とする請求項１に記載のプラスチック光学素子。
【請求項８】
請求項１〜７のいずれかに記載のプラスチック光学素子を備えることを特徴とする光学ユニット。
【請求項９】
前記凸形状部分を当該光学ユニットに前記プラスチック光学素子を位置決めして組み込むための基準として用いることを特徴とする請求項８に記載の光学ユニット。
【発明の詳細な説明】
【技術分野】
【０００１】
本発明は、金型により成形されるプラスチック光学素子及びレーザ走査光学装置などの光学ユニットに関するものである。
【背景技術】
【０００２】
レンズやプリズムなどの光学素子は光学面形状や内部の複屈折に関して高い精度が求められる為、従来はガラス製のものが主流であった。しかし近年、光学面設計形状の自由度や量産性に優れていることから、プラスチック製の光学素子が増加してきている。特にレーザプリンタなどに用いられるｆθレンズにおいては、素子の箇所によって肉厚の異なる偏肉形状の光学素子が多く設計されている。
【０００３】
図１に、従来のプラスチック光学素子の一種であるｆθレンズの構成例を示す。図１（ａ）はプラスチック光学素子の外観斜視図、図１（ｂ）はその長手方向中央の断面図である。
プラスチック光学素子９０は、長手方向の中央が厚肉となるように孤状に湾曲させた上下面である光学面１，１と、対向配置された平面状の側面である非光学面２，２と、を有する偏肉形状に作製されている。ここで、プラスチック光学素子９０の断面である樹脂部分４において、光学面１，１は成形時に金型鏡面が転写されてなる部分である。
【０００４】
このようなプラスチック光学素子の成形においては、取出し時の応力変形、および内部の複屈折を低減するために、低圧の射出成形を行わなければならない。ただし、低圧射出成形においては、成形不具合の一つである、金型からの不完全転写領域（以下、“ひけ”とも表現する。）の発生が問題となる。ひけ発生のメカニズムとしては、図２に示すように、低圧射出成形過程において樹脂収縮により成形品体積がキャビティ体積以下になる時に、キャビティすなわち金型部材（以下、“入子”とも表現する。）５，６の継ぎ目からエア７を引き込み、樹脂部分４の光学面表面が金型部材６より剥離してこれが微小な不完全転写領域となる。
【０００５】
この低圧の成形における、ひけの問題を解決する為に、特許文献１では、通気口部と転写部に圧力差を発生させて、ひけを非光学面に誘導することで、光学面のひけ発生を防止する方法が提案されている。
【０００６】
ただし、この成形工法においては、ひけの誘導領域が制御しきれず、光学面にまでひけが広がってしまう不具合があった。例えば、図３に示すように、金型部材５に設けた通気口８から導入されたエア７が金型部材５と樹脂部分４との間を通って金型部材６と樹脂部分４の間に回りこみ、金型部材６から樹脂部分４の光学面表面を剥離させ不完全転写領域となっていた。
【０００７】
また、誘導したひけが非光学面に広がったとしても、素子の取り付け基準とする領域まで広がった場合、この光学素子を使用する光学ユニットへの位置決め精度が悪化し、光学ユニットの性能低下を引き起こしていた。さらに、光学素子の肉厚が場所によって異なる場合、場所ごとの樹脂冷却速度が異なり、その結果、樹脂圧力の低下速度が異なるため、ひけを誘導する際に、樹脂を剥離させるタイミングを場所ごと変化させねばならない困難さもあった。例えば、肉厚部を剥離させる為に樹脂圧力が低下したタイミングで剥離を行っても、既に薄肉部の樹脂は固化しており、ひけを誘導する効果が得られなかった。逆に、薄肉部の樹脂圧力が低下したタイミングで剥離を行っても、厚肉部ではまだ樹脂圧力が高く、同一圧力では剥離できずひけを誘導できない不具合が生じた。
【０００８】
また、特許文献２では、金型のキャビティを構成する入子の一部を成形中に摺動させて、非光学面の樹脂を剥離させる方法が提案されている。これは、上記の偏肉による場所ごとの樹脂圧力差については考慮されているが、ひけの誘導領域の制御性は特許文献１の場合と同様であり、やはり誘導したひけが、光学面及び取り付け基準領域まで広がってしまう不具合があった。例えば、図４に示すように、摺動金型入子である金型部材９を移動させて空隙９ａを形成して、樹脂部分４の空隙９ａに面する領域にひけを発生させるが、その領域からエア７が金型部材５と樹脂部分４との間を通って金型部材６と樹脂部分４の間に回りこみ、金型部材６から樹脂部分４の光学面表面を剥離させ不完全転写領域となっていた。
【０００９】
また、光学面にリブを有する成形品の場合には、低圧成形における別の不具合がある。例えば、図５に示すように、金型内樹脂の収縮過程において、リブ１１周辺の金型（金型部材５，６）に接する面積が樹脂体積に対して大きくなる為、その部分の樹脂が冷却され、その結果、金型部材５，６の継ぎ目より、エア７を巻き込みリブ１１に沿った光学面の周囲においてひけ９２を発生してしまうことがあった。このひけ９２が光学面の光学有効領域に達すると、光学特性に悪影響を及ぼす不具合があった。
【００１０】
なお、特許文献３では、このリブ周囲のひけを光学有効領域外に設けることで、光学有効領域の転写性を確保する方法が提案されているが、この場合も同様にひけの誘導領域が制御しきれず、非光学有効領域から光学有効領域にまでひけが広がってしまう不具合があった。例えば、図６に示すように、金型部材６に設けた通気口８から導入されたエア７が光学面のリブの根元の非光学有効領域に誘導され、ひけ９２が形成されるが、エア７がさらに金型部材６と樹脂部分４との間を通ることによりひけ９２が光学有効領域にまで広がり、金型部材６から樹脂部分４の光学面表面を剥離させ不完全転写領域となっていた。
【発明の概要】
【発明が解決しようとする課題】
【００１１】
本発明は、以上の従来技術における問題に鑑みてなされたものであり、光学面に不完全転写領域（ひけ）を発生させずに安定した低圧射出成形を行うことで、高い形状精度及び複屈折の小さいプラスチック光学素子を提供し、また該プラスチック光学素子を用いた性能の優れた光学ユニットを提供することを目的とする。
【課題を解決するための手段】
【００１２】
前記課題を解決するために提供する本発明は、以下の通りである。
〔１〕  金型により成形されてなり、１つ以上の光学面（光学面１）と、非光学面（非光学面２）とから構成されるプラスチック光学素子において、前記光学面に隣接する非光学面の該光学面との境界部分の少なくとも一部に該非光学面側に突出する凸形状部分（凸形状部分１３）を有し、該凸形状部分の非光学面側の根元の少なくとも一部に前記金型からの不完全転写部（ひけ１２）を有することを特徴とするプラスチック光学素子（プラスチック光学素子１０,１０Ａ,１０Ｂ，１０Ｃ，２０，２０Ａ，３０、図７，図１２〜図１６、図１８）。
〔２〕  前記凸形状部分の根元の不完全転写部は、金型による樹脂成形時に凸形状部分となる部分の根元に気体を吹き付けて形成されてなることを特徴とする前記〔１〕に記載のプラスチック光学素子。
〔３〕  前記凸形状部分は、前記光学面に隣接する非光学面の該光学面との境界部分の全域に設けられてなることを特徴とする前記〔１〕に記載のプラスチック光学素子（プラスチック光学素子１０Ａ，１０Ｂ，１０Ｃ、図１２，図１３，図１６）。
〔４〕  前記凸形状部分と前記非光学面との間に、該非光学面よりも広い面を有する駄肉部分（駄肉１４）を備えることを特徴とする前記〔１〕に記載のプラスチック光学素子（プラスチック光学素子２０，２０Ａ、図１４，図１５）。
〔５〕  前記凸形状部分の一部は、前記光学面を形成する金型部分により成形されてなることを特徴とする前記〔１〕に記載のプラスチック光学素子（図８）。
〔６〕  前記凸形状部分は、少なくとも１つの側面に抜き勾配を有することを特徴とする前記〔１〕に記載のプラスチック光学素子（図１１）。
〔７〕  前記非光学面は、前記凸形状部分の根元の不完全転写部とは別に、前記金型からの不完全転写部を有することを特徴とする前記〔１〕に記載のプラスチック光学素子（プラスチック光学素子１０Ｃ、図１６）。
〔８〕  前記〔１〕〜〔７〕のいずれかに記載のプラスチック光学素子を備えることを特徴とする光学ユニット（光学ユニット４０、図１９）。
〔９〕  前記凸形状部分を当該光学ユニットに前記プラスチック光学素子を位置決めして組み込むための基準として用いることを特徴とする前記〔８〕に記載の光学ユニット（図２０〜図２２）。
【発明の効果】
【００１３】
本発明のプラスチック光学素子によれば、凸形状部分の非光学面側の根元に不完全転写部（ひけ）を設けることにより、隣接する光学面にひけが発生することを防止することができ、形状精度が高く複屈折率の小さいプラスチック光学素子を提供することができる。
また、本発明の光学ユニットによれば、本発明のプラスチック光学素子を用いるので、光学特性に優れ、レーザ走査光学装置に用いた場合には従来にない高画質の画像を得ることができる。
【図面の簡単な説明】
【００１４】
【図１】従来のプラスチック光学素子の構成例を示す概略図である。
【図２】図１のプラスチック光学素子の金型成形時の状態を示す断面図である。
【図３】従来のひけ誘導成形時の状態（１）を示す断面図である。
【図４】従来のひけ誘導成形時の状態（２）を示す断面図である。
【図５】従来のひけ誘導成形時の状態（３）を示す断面図である。
【図６】従来のひけ誘導成形時の状態（４）を示す断面図である。
【図７】本発明に係るプラスチック光学素子の構成例（１）を示す概略図である。
【図８】図７のプラスチック光学素子の金型成形時の状態（１）を示す断面図である。
【図９】図７のプラスチック光学素子の金型成形時の状態（２）を示す断面図である。
【図１０】凸形状部分に抜き勾配がないプラスチック光学素子の金型成形時の状態を示す断面図である。
【図１１】本発明に係るプラスチック光学素子における凸形状部分の抜き勾配の例を示す断面図である。
【図１２】本発明に係るプラスチック光学素子の構成例（２）を示す概略図である。
【図１３】本発明に係るプラスチック光学素子の構成例（３）を示す概略図である。
【図１４】本発明に係るプラスチック光学素子の構成例（４）を示す概略図である。
【図１５】本発明に係るプラスチック光学素子の構成例（５）を示す概略図である。
【図１６】本発明に係るプラスチック光学素子の構成例（６）を示す概略図である。
【図１７】プラスチック光学素子のひけ誘導成形時に誘導したひけが深くなった状態を示す断面図である。
【図１８】本発明に係るプラスチック光学素子の構成例（７）を示す概略図である。
【図１９】本発明に係る光学ユニットの構成例を示す概略図である。
【図２０】本発明に係る光学ユニットへの本発明のプラスチック光学素子の取り付け例（１）を示す概略図である。
【図２１】本発明に係る光学ユニットへの本発明のプラスチック光学素子の取り付け例（２）を示す概略図である。
【図２２】本発明に係る光学ユニットへの本発明のプラスチック光学素子の取り付け例（３）を示す概略図である。
【発明を実施するための形態】
【００１５】
本発明に係るプラスチック光学素子は、金型により成形されてなり、１つ以上の光学面と、非光学面とから構成されるプラスチック光学素子において、前記光学面に隣接する非光学面の該光学面との境界部分に１つ以上の凸形状部分を有し、該凸形状部分が設けられた非光学面の少なくとも一部に前記金型からの不完全転写部を有するものであり、とくに前記光学面に隣接する非光学面の該光学面との境界部分の少なくとも一部に該非光学面側に突出する凸形状部分を有し、該凸形状部分の非光学面側の根元の少なくとも一部に前記金型からの不完全転写部を有することを特徴とするものである。
以下に、本発明に係るプラスチック光学素子の実施の形態について図面を参照して説明する。
【００１６】
なお、以下の実施の形態において、透明性が要求される光学素子を成形するために使用される樹脂として、軟化温度がそのガラス転移温度である非晶性樹脂、例えばポリメタアクリル樹脂、ポリカーボネート樹脂、脂環式アクリル樹脂、環状ポリオレフィンコポリマー（例、日本ゼオン（株）、商品名：ゼオネックス）等が挙げられる。
【００１７】
図７は、本発明に係るプラスチック光学素子の第１実施形態における構成を示す斜視図である。
プラスチック光学素子１０は、偏肉形状のｆθレンズであって、長手方向の中央が厚肉となるように孤状に湾曲させた上下面である光学面１，１と、該光学面１，１に隣接するとともに対向配置された平面状の側面である非光学面２，２と、を有する。このプラスチック光学素子１０をレーザプリンタ等に組み込まれて使用される場合には、光学面１，１の下面から上面に向かってレーザ光が透過するようになる。
【００１８】
ここで、光学面１，１は、プラスチック光学素子１０成形時に金型の鏡面が転写されてなる光学鏡面である。
【００１９】
また、非光学面２，２はそれぞれ、光学面１，１との境界部分のうち、長手方向中央領域の厚肉部分であって成形時に収縮量が大きくなる部分に、非光学面２，２側に突出する凸形状部分１３を有している。また、凸形状部分１３は、非光学面２から突出するように光学面１を延長させた側面を有する。さらに、凸形状部分１３が設けられた非光学面２，２それぞれの少なくとも一部、ここでは凸形状部分１３の根元には、金型からの不完全転写部（ひけ）１２を有している。
【００２０】
図８に、プラスチック光学素子１０の成形時の金型内における断面構成を示す。ここでは、図８（ａ）は図７の断面３に対応する断面図であり、図８（ｂ）は図８（ａ）の左上部分の拡大図である。
プラスチック光学素子１０を製造するための射出成形用金型は、プラスチック光学素子１０の光学面１，１を転写形成する転写面を備えた一対の金型部材６，６と、非光学面２，２を転写形成する転写面を有し金型部材６，６の両側面側に位置する一対の金型部材５，５と、を備え、各転写面間で形成される空間によってキャビディが形成されている。
【００２１】
また、該キャビティにおいて、図中上側の左右２箇所、下側の左右２箇所の計４箇所に凸形状部分１３となる空間が設けられており、該凸形状部分１３となる空間は、一部が光学面１を形成する金型部材６で構成され、残りが非光学面２を形成する金型部材５で構成されている。
【００２２】
また、金型部材５は、４つの凸形状部分１３それぞれの根元となる部分まで通じるエアスリットである通気口８を有する。
【００２３】
プラスチック光学素子１０の成形はつぎのように行われる。
まず、図８に示した構成の射出成形用金型を射出成形機にセットし、該金型を使用樹脂の溶融温度未満の温度に加熱して保持する。つぎに、射出成形機から軟化温度以上に加熱され溶融した樹脂部分４をキャビティ内に射出して充填する。このとき、樹脂部分４は射出圧力により、金型部材６の転写面に密着するとともに凸形状部分となる空間まで充填される。
つぎに、キャビティ内に導入された樹脂部分４を軟化温度以下に冷却し、固化させる。同時に、金型部材５に形成されている通気口８から所定圧力の気体として圧縮空気であるエア７を送り込み、凸形状部分１３の非光学面２側の根元で金型部材５から樹脂部分４を剥離させ不完全転写部分であるひけ１２を形成する（図８（ｂ））。
ついで、固化したプラスチック光学素子１０を射出成形用金型から取り出し、室温にて放冷する。
【００２４】
光学面１側面である非光学面２に凸形状部分１３を設ける金型構成とすると、金型内樹脂収縮過程において、凸形状部分１３は金型に接する面積が樹脂体積に対して大きくなる為、樹脂冷却が促進され、キャビティ内において優先的に収縮を始める。例えば、この凸形状部分１３が収縮を始めるタイミングで、凸形状部分１３の根元にエアを吹き付けて、強制的に金型壁面から剥離させることでこの箇所に金型からの不完全転写部（ひけ）１２を誘導する。すると、ひけ１２は収縮速度の速い凸形状部分１３に沿った形で成長する。またさらに、ひけ１２が広がるとしても、段差が無く広がりやすい非光学面２の方向に広がる為、光学面１にひけが広がることは無く、結果的に高いひけ誘導領域の制御性が得られる。また、樹脂の収縮に伴い、金型入子継ぎ目からのエアを巻き込もうとするのを、前記凸形状部分１３に沿った、剥離された面が自由に動くことで補い、従来リブに沿って光学面に発生してしまっていたひけ、及び金型入子継ぎ目からエアを引き込んで発生するひけを抑えることができる。
これにより、低圧の射出成形が可能となり、成形残留応力の低下により、取り出し後の形状変形が抑えられることで、光学面１が高い形状精度のプラスチック光学素子１０を得ることができる。また、内部応力を低くすることで、複屈折発生を抑制した成形品を得ることができる。なお、本発明の効果は、ひけを凸形状部分１３に隣接した非光学面２に設けることであり、ひけ発生方法の如何には関係しない。
【００２５】
なお、凸形状部分１３の一部は、光学面１を形成する金型部分（金型部材６）により成形されてなることが好ましい。これはつぎのような理由による。すなわち、例えば図９に示すように、凸形状部分１３がすべて非光学面２を形成する金型部材５により成形される射出成形用金型の構成とすると、金型部材５，６の継ぎ目（入子継ぎ目）が凸形状部分１３の根元であって光学面１の近くに位置するようになり、図２に示したような入子継ぎ目からエアを引き込むことに起因する微小な不完全転写領域が発生しやすくなる。これに対して、本発明では、凸形状部分１３の一部が金型部材６で成形されるようにしているため、入子継ぎ目を光学面１から遠ざけることができ、前記微小な不完全転写領域の発生を抑制することができる。とくに、図８に示すように、凸形状部分１３の先端まで金型部材６で形成されるようにすることにより、入子継ぎ目を凸形状部分１３の先端に位置させることで、光学面１から遠ざけるとともに非光学面２側に近づけることになり、入子継ぎ目からエアを引き込むことによる微小な不完全転写領域（図２）及びリブの収縮によりエアを引き込むことによるひけ（図５）を効果的に抑制することができる。
【００２６】
また、凸形状部分１３の少なくとも１つの側面について、断面形状として凸形状部分１３の根元が太く、先端に行くほど細くなるような抜き勾配を設けることが好ましい。これはつぎのような理由による。すなわち、例えば図１０に示すように、凸形状部分１３の側面について抜き勾配を設けず、断面形状として凸形状部分１３の太さが同じとなるような金型構成とした場合、前述したような本発明のひけ誘導効果は得られるが、成形中に凸形状部分１３の側面は樹脂の収縮に伴い、非光学面転写用の金型部材５に食いつくようになる（図１０（ａ））。すると、この状態で成形品取り出し時（型開き時）に非光学面転写用の金型部材５を図中矢印方向に抜くと、金型に食いついた凸形状部分１３の側面を摺動抵抗をもって擦りながら動作するため（図１０（ｂ））、凸形状部分１３には金型部材５移動方向に引張る応力が作用する。そのため、この応力の作用により凸形状部分１３を中心に成形品を変形させてしまい（成形品とられ変形と称する）、光学面１の形状精度を劣化させてしまう結果となってしまった。これに対して、本発明では、金型部材（例えば金型部材５）を抜く際に、凸形状部分１３の摺動抵抗が作用する側面部分に勾配（抜き勾配）を設けることにより、金型部材引抜時の摺動抵抗に起因する応力を軽減させ、前記樹脂の食いつきによる成形品とられ変形を防止することができ、高い形状精度の光学面及び外形の成形品を得ることが可能となる。
【００２７】
なお、凸形状部分１３の抜き勾配を付与した断面形状としては、例えば側面を斜面とし先端部分を平坦面とした台形形状（図１１（ａ））や、側面を斜面とし鋭角な先端部分とした三角形状（図１１（ｂ））や、側面を円弧形状としたもの（図１１（ｃ））などが挙げられ、いずれも同一の効果が得られる。
【００２８】
つぎに、図１２に、本発明に係るプラスチック光学素子の第２実施形態における構成を示す。図１２（ａ）は本発明に係るプラスチック光学素子の斜視図であり、図１２（ｂ）は図１２（ａ）の断面３に対応するプラスチック光学素子１０Ａの成形時の金型内における断面図である。
【００２９】
図１２（ａ）に示すように、プラスチック光学素子１０Ａにおいて、非光学面２，２はそれぞれ、光学面１，１との境界部分の長さ方向の全域に、非光学面２，２側に突出する凸形状部分１３を有している。さらに、非光学面２，２それぞれの凸形状部分１３の根元には、金型からの不完全転写部（ひけ）１２を有している。それ以外の部分は、図７に示すプラスチック光学素子１０と同じである。
【００３０】
また、図１２（ｂ）に示す断面構成は、図８（ａ）と同じであり、第１実施形態と同様の形成方法によりプラスチック光学素子１０Ａを形成する。したがって、第１実施形態のプラスチック光学素子１０と同様の効果が得られ、光学面１の形状・複屈折ともに高精度な成形品であるプラスチック光学素子１０Ａを得ることが可能である。なお、金型の入子継ぎ目（金型部材５，６の継ぎ目）全域にわたって、光学面１と非光学面２の境界部分に該非光学面２から突出するように光学面１を延長させた側面を有する凸形状部分１３を設けることで、入子継ぎ目からのエア巻き込みを全域でもれなく吸収できるので、低圧成形においても第１実施形態の場合（図８）より効果的に微小な不完全転写領域の発生を防止することができる。
【００３１】
また、凸形状部分１３の少なくとも１つの側面には、第１実施形態と同様に、抜き勾配を設けるが、このときにプラスチック光学素子１０Ａの長手方向において、厚肉部分・薄肉部分共に凸形状部分１３の大きさを等しくしておけば、凸形状部分１３の収縮速度は場所に寄らず一定となる為、プラスチック光学素子１０Ａの場所による肉厚の変化によらず一定のタイミングで安定したひけ誘導を行うことができる。これにより、低圧の射出成形においても光学面１にひけが発生するのを防止できるため、成形残留応力の低下による、取り出し時の形状変形及び内部応力による複屈折発生を抑制することができ、光学面の形状・複屈折ともに高精度な成形品を得ることができる。
【００３２】
つぎに、図１３に、本発明に係るプラスチック光学素子の第３実施形態における構成を示す。図１３（ａ）は本発明に係るプラスチック光学素子の斜視図であり、図１３（ｂ）は図１３（ａ）の断面３に対応するプラスチック光学素子１０Ｂの成形時の金型内における断面図、図１３（ｃ）は図１３（ｂ）の左上部分の拡大図である。
【００３３】
図１３（ａ）に示すように、プラスチック光学素子１０Ｂにおいて、非光学面２，２はそれぞれ、光学面１，１との境界部分の長さ方向の全域に、非光学面２，２側に突出するとともに、その先端が光学面１側に突出するように断面が略Ｌ字型の形状を呈する凸形状部分１３を有している。それ以外の部分は、図１２に示すプラスチック光学素子１０Ａと同じである。このように凸形状部分１３の先端を光学面１側に突出するリブ１１とすることにより、光学面１の保護が可能となっている。
【００３４】
また、図１３（ｂ），（ｃ）に示す断面構成は、凸形状部分１３先端のリブ１１を除いて、図８（ａ）,（ｂ）及び図１２（ｂ）と同じであり、第１実施形態と同様の形成方法によりプラスチック光学素子１０Ｂを形成する。これにより、第２実施形態のプラスチック光学素子１０Ａと同様の効果が得られ、光学面１の形状・複屈折ともに高精度な成形品であるプラスチック光学素子１０Ｂを得ることが可能である。
【００３５】
なお、成形中に、凸形状部分１３の非光学面２側の根元にエア７の圧力を用いて優先的にひけ１２を形成することにより、図５のように従来リブを有することで、光学面側に発生してしまっていたひけを吸収することが可能となり、低圧の射出成形においても光学面１にひけが広がることを防止することができる。
【００３６】
つぎに、図１４に、本発明に係るプラスチック光学素子の第４実施形態における構成を示す。図１４（ａ）は本発明に係るプラスチック光学素子の斜視図であり、図１４（ｃ）は図１４（ｂ）の断面３に対応するプラスチック光学素子２０の成形時の金型内における断面図である。
【００３７】
図１４（ａ）に示すように、光学機能部分（レンズ部分）が薄肉で、凸形状部分１３を非光学面２に設けるのが困難な場合、光学機能部分のいずれかの非光学面（図１４では光学機能部分の長手方向両端の非光学面２）に該非光学面２の面積より広い面を有する駄肉１４を設けた上で、該駄肉１４に光学面１表面の延長線上に一側面が位置するように凸形状部分１３を設けるとよい。すなわち、駄肉１４を介して凸形状部分１３を設けることとなるが、非光学面２側の凸形状部分１３の根元が光学面１に隣接するようにすることで、第１実施形態のものと同等の構成となる。なお、図１４の場合、製品の形状により金型部材が複雑化して継ぎ目の多くなる成形品長手方向の端部に凸形状部分１３を設けている。
【００３８】
この実施形態においても、図１４（ｃ）に示すように、第１実施形態と同様の形成方法によりプラスチック光学素子２０を形成する。このとき、成形中に凸形状部分１３の非光学面２側の根元を通気口８から導入されるエア７の圧力を用いて優先的に剥離させてひけ１２を誘導することにより、第１実施形態のプラスチック光学素子１０と同様の効果が得られ、低圧成形においても、入子継ぎ目からのエア巻き込みを誘導したひけが吸収され、成形残留応力の低下による、取り出し時の形状変形及び内部応力による複屈折発生を抑制することができ、光学面の形状・複屈折ともに高精度な成形品を得ることができる。
【００３９】
つぎに、図１５に、本発明に係るプラスチック光学素子の第５実施形態における構成を示す。図１５（ａ）は本発明に係るプラスチック光学素子の斜視図であり、図１５（ｃ）は図１５（ｂ）の断面３に対応するプラスチック光学素子２０Ａの成形時の金型内における断面図である。
【００４０】
図１５（ａ）に示すように、プラスチック光学素子２０Ａにおいて、光学機能部分の短手方向端部の非光学面２，２に光学面１側に突出するリブ１１を設けている。それ以外の部分は、図１４に示すプラスチック光学素子２０と同じである。光学面１側に突出するリブ１１及び駄肉１４により、光学面１の保護が可能となっている。
【００４１】
また、図１５（ｃ）に示す断面構成は、図１４（ｃ）と同じであり、第１実施形態と同様の形成方法によりプラスチック光学素子２０Ａを形成する。これにより、第４実施形態のプラスチック光学素子２０と同様の効果が得られ、光学面１の形状・複屈折ともに高精度な成形品であるプラスチック光学素子２０Ａを得ることが可能である。
【００４２】
つぎに、図１６に、本発明に係るプラスチック光学素子の第６実施形態における構成を示す。図１６（ａ）は本発明に係るプラスチック光学素子の斜視図であり、図１６（ｂ）は図１６（ａ）の断面３に対応するプラスチック光学素子１０Ｃの成形時の金型内における断面図である。
【００４３】
図１６（ａ）に示すように、プラスチック光学素子１０Ｃにおいて、非光学面２，２のいずれか一方の非光学面２は、ひけ１２とは別に、光学面１，１の孤状に湾曲させた領域に対応する領域において金型からの不完全転写部（ひけ）１２’を有している。それ以外の部分は、図１２に示すプラスチック光学素子１０Ａと同じである。
【００４４】
また、図１６（ｂ）に示す断面構成においても、第１実施形態と同様の形成方法によりプラスチック光学素子１０Ｃを形成するが、一方の非光学面２に対応する金型部材９を一方向（図１６（ｂ）では右方向）に移動させて空隙９ａを形成して、樹脂部分４の空隙９ａに面する領域にひけ１２’を発生させる。それ以外は、図８（ａ），図１２（ｂ）の断面構成と同じである。
【００４５】
成形圧力を低く設定するほど、樹脂の充填量が小さくなる為、誘導するひけ体積が増える。この時、第１，２実施形態のように凸形状部分１３によるひけ誘導のみの場合、図１７に示すように、誘導したひけ１２は光学面側に向けて深くなってしまう。ひけ１２の深さが深くなりすぎると、プラスチック光学素子の光学有効範囲にまでひけが達してしまい、光学特性として不具合を生じる。そのため、この凸形状部分１３によるひけ誘導においては、成形圧力の下限が存在することになる。
【００４６】
そこで、本実施形態では、非光学面２のひけ１２とは別の領域にさらにひけ１２’を誘導することにより、ひけ誘導面積が広くなり、低圧で成形してひけ体積が大きくなった場合にも、凸形状部分１３の根元とは別の領域でひけ１２’を誘導することで、成形品のひけ誘導領域総面積が大きくなり、浅く広くひけを吸収することができる。この結果、図１７のような局所的に深いひけにはなりにくい。このように凸形状部分１３のみのひけ誘導成形よりも、成形圧力の下限がより広がるため、さらに形状精度が高く、複屈折の低い成形品の提供が可能となる。
【００４７】
また、従来のひけ誘導工法において問題となっていた誘導したひけの光学面１への広がりにおいても、本発明の凸形状部分１３の根元に誘導されたひけ領域が障壁となり、ひけ１２’が光学面１にまで広がるのを防止することができる。
【００４８】
以上のように、第２実施形態のプラスチック光学素子１０Ａと同様の効果に加えて、従来のヒケ誘導効果も合わせることにより、より高い光学面ひけ発生防止効果を得ることができる。また、金型の入子継ぎ目（金型部材５，６の継ぎ目）全域にわたって、光学面１と非光学面２の境界部分に該非光学面２から突出するように光学面１を延長させた側面を有する凸形状部分１３を設けることで、より効果的に入子継ぎ目からのエア巻き込みによる微小な不完全転写領域の発生を防止することができる。これにより、第２実施形態の場合よりも更に低圧で成形しても、光学面１にひけは発生せず、より複屈折が低く形状精度の優れた成形品であるプラスチック光学素子１０Ｃを得ることが可能である。
【００４９】
つぎに、図１８に、本発明に係るプラスチック光学素子の第７実施形態における構成を示す。図１８（ａ）は本発明に係るプラスチック光学素子の斜視図であり、図１８（ｂ）は図１８（ａ）のプラスチック光学素子３０の成形時の金型内における断面図である。
【００５０】
図１８（ａ）に示すように、プラスチック光学素子３０は、上面が凸状の円形の光学面１と、下面が凹状の円形の光学面１と、側面が円形の光学面１，１の外周に沿った筒状の非光学面２と、からなる円レンズであり、カメラレンズなどに使用される。本発明は光学素子の形状によらず有効であり、前述したｆθレンズのみならず、このような円レンズにも適用可能である。
【００５１】
ここで、非光学面２は、光学面１，１との境界に当たる円周部分それぞれに、非光学面２側に突出する凸形状部分１３を有している。また、凸形状部分１３は、非光学面２から突出するように光学面１を延長させた側面を有する。さらに、凸形状部分１３の非光学面２側の根元には、金型からの不完全転写部（ひけ）１２を有している。
【００５２】
この実施形態においても、図１８（ｂ）に示すように、第１実施形態と同様の形成方法によりプラスチック光学素子３０を形成する。このとき、成形中に凸形状部分１３の非光学面２側の根元を通気口８から導入されるエア７の圧力を用いて優先的に剥離させてひけ１２を誘導することにより、第１実施形態のプラスチック光学素子１０と同様の効果が得られ、低圧成形においても、入子継ぎ目からのエア巻き込みを誘導したひけが吸収され、成形残留応力の低下による、取り出し時の形状変形及び内部応力による複屈折発生を抑制することができ、光学面の形状・複屈折ともに高精度な成形品であるプラスチック光学素子３０を得ることができる。
【００５３】
つぎに、本発明に係る光学ユニットについて説明する。
図１９は、レーザプリンタやデジタル複写機に搭載される光学ユニット４０の概略図である。この光学ユニット４０は光源としての半導体レーザ４１、該半導体レーザ４１からの光を所定角度範囲で等角速度的に偏向する偏向面を有する変更手段としての回転多面鏡４２、回転多面鏡４２にて偏向された光を等速度的な光に変換する光学系としてのレーザ走査光学系４３、及び該レーザ走査光学系４３からの光の方向を変更する折り返しミラー４４等を備えている。
【００５４】
ここで、レーザ走査光学系４３には走査レンズとして本発明のプラスチック光学素子１０，２０が使用されている。あるいは、プラスチック光学素子１０Ａ〜１０Ｃ，２０Ａを用いてもよい。また、必要に応じてプラスチック光学素子３０を用いてもよい。
【００５５】
光学ユニット４０の動作を以下に示す。
半導体レーザ４１から出射された光は、回転多面鏡４２の偏向面近傍に一旦結像される。回転多面鏡４２は一定の角速度で図中の矢印Ｃ方向に回転しており、偏向面近傍に結像された光は回転多面鏡４２の回転に伴って等角速度的に偏向される。
偏向された光は、プラスチック光学素子１０，２０を順次透過することで等速度的な光に変換され、折り返しミラー４４で反射されて走査対象である感光体４５表面を走査する。例えば光学ユニット４０がデジタル複写機に使用された場合には、半導体レーザ４１の光は、複写画像に対応する画像情報によって、その光強度が変調されており、この光が感光体４５表面に結像することによって、感光体表面に複写画像の静電潜像が形成される。
【００５６】
光学ユニット４０がこのような構成であることから、プラスチック光学素子１０，２０や走査ミラー等で構成されるレーザ走査光学系４３の精度、例えば光学面の形状精度、光学素子の配置精度等が、複写画像品質に大きな影響を与えることになる。従って、本発明に係る光学ユニットを用いたレーザプリンタやデジタル複写機では、前述した本発明のプラスチック光学素子１０，２０（あるいは１０Ａ〜１０Ｃ，２０Ａ，３０）を使用していることから、光学ユニットに固定された実使用状態において、設計形状との形状誤差が小さく、複屈折も小さいため、設計時の光学的機能を有しており、その結果として正確な走査が可能となり、高画質の画像を形成することができる。特に、カラーレーザプリンタやカラーデジタル複写機に適用した場合に、色ずれの少ない高画質のカラー画像を形成することができる。
このように、本発明のプラスチック光学素子を走査レンズとして使用することで、焦点位置ずれが少なく、光学特性に優れ、従来にない高画質を達成できるレーザ走査光学装置を製造することができる。
【００５７】
図２０に、光学ユニット４０に図１３に示したプラスチック光学素子１０Ｂを組み込んだ構成を示す。
プラスチック光学素子１０Ｂの凸形状部分１３は根元に形成したひけ１２のひけ誘導の効果により、光学面１と同様に高い成形転写性が得られており、形状精度が優れている。ここでは、この特長を利用して、凸形状部分１３の一部を光学ユニット４０に該プラスチック光学素子１０Ｂを位置決めして組み込むための取り付け基準としている。すなわち、凸形状部分１３の非光学面２側に突出した面を取り付け基準として光学ユニットの底板１６上に設けた３つのベース部材１９に当接するようにしてプラスチック光学素子１０Ｂが長手方向の３点で支持されるようにすることにより、高さ方向（Ｚ方向）の位置決めを行っている。また、凸形状部分１３の光学面１側に突出した先端部分を取り付け基準として光学ユニットの底板１６上に立設した２つの棒状部材１８に当接するようにしてプラスチック光学素子１０Ｂが長手方向両端の２点で支持されるようにすることにより、底板１６の板面方向の一方向（Ｙ方向）の位置決めを行っている。また、一方の凸形状部分１３の長手方向端部を取り付け基準として光学ユニットの底板１６上に設けた１つのベース部材１７の側面に当接するようにしてプラスチック光学素子１０Ｂが長手方向の１点で支持されるようにすることにより、底板１６の板面方向でＹ方向に直交する方向（Ｘ方向）の位置決めを行っている。このように、凸形状部分１３の一部をＸ方向・Ｙ方向・Ｚ方向それぞれの取り付け基準としているため、本発明のプラスチック光学素子の高精度な位置決めが可能となり、結果として高品質の光学ユニットを提供することができる。
なお、本発明の光学ユニットでは凸形状部分１３の一部を適宜使用することであって、凸形状部分１３の種類、形状の如何によらない。
【００５８】
図２１に、光学ユニット４０に図１５に示したプラスチック光学素子２０Ａを組み込んだ構成を示す。
プラスチック光学素子２０Ａの凸形状部分１３は、プラスチック光学素子１０，１０Ａ〜１０Ｃ，２０と同様、根元に形成したひけ１２のひけ誘導の効果により、光学面１と同様に高い成形転写性が得られており、形状精度が優れている。また、ひけ１２を誘導した部分である駄肉１４も、光学面１・凸形状部分１３と同様にひけ誘導の効果で高い転写性が得られている。さらに、駄肉１４と連設された非光学面２も同様にひけ誘導の効果で高い転写性が得られている。ここでは、駄肉１４におけるプラスチック光学素子２０Ａの短手方向の端面１４ａ及び端面１４ａ近傍の非光学面２の領域（図２１（ａ））を、取り付け基準面として光学ユニットの底板１６上に設けた２つのベース部材１９に当接するようにしてプラスチック光学素子２０Ａが長手方向の２点で支持されるようにすることにより、高さ方向（Ｚ方向）の位置決めを行っている（図２１（ｂ），（ｃ）。また、凸形状部分１３の一方の光学面１側の面を取り付け基準として光学ユニットの底板１６上に立設した２つの棒状部材１８に当接するようにしてプラスチック光学素子２０Ａが長手方向両端の２点で支持されるようにすることにより、底板１６の板面方向の一方向（Ｙ方向）の位置決めを行っている。また、一方の凸形状部分１３の長手方向端部を取り付け基準として光学ユニットの底板１６上に設けた１つのベース部材１７の側面に当接するようにしてプラスチック光学素子２０Ａが長手方向の１点で支持されるようにすることにより、底板１６の板面方向でＹ方向に直交する方向（Ｘ方向）の位置決めを行っている。このように、凸形状部分１３、駄肉１４及び非光学面２それぞれの一部をＸ方向・Ｙ方向・Ｚ方向それぞれの取り付け基準としているため、本発明のプラスチック光学素子の高精度な位置決めが可能となり、結果として高品質の光学ユニットを提供することができる。
【００５９】
図２２に、光学ユニット４０に図１８に示したプラスチック光学素子３０を組み込んだ構成を示す。
プラスチック光学素子３０の凸形状部分１３は、プラスチック光学素子１０，１０Ａ〜１０Ｃ，２０，２０Ａと同様、根元に形成したひけ１２のひけ誘導の効果により、光学面１と同様に高い成形転写性が得られており、形状精度が優れている。ここでは、この特長を利用して、凸形状部分１３の一部を光学ユニット４０に該プラスチック光学素子３０を位置決めして組み込むための取り付け基準としている。すなわち、凸形状部分１３の非光学面２側に突出した面を取り付け基準として光学ユニットの底板１６に当接するようにしてプラスチック光学素子３０が２点で支持されるようにすることにより、高さ方向（Ｚ方向）の位置決めを行っている。また、凸形状部分１３の光学面１側の側面１３ａを取り付け基準として光学ユニットの底板１６上とベース部材１７上それぞれに設けた２つの板状部材１８の端面に当接するようにしてプラスチック光学素子３０が円形状の側面１３ａの円周上の２点で支持されるようにすることにより、底板１６の板面方向の一方向（Ｙ方向）の位置決めを行っている。また、２つの凸形状部分１３の突出方向端部を取り付け基準として光学ユニットの底板１６上に直立して設けた１つのベース部材１７の側面に当接するようにしてプラスチック光学素子３０が２点で支持されるようにすることにより、底板１６の板面方向でＹ方向に直交する方向（Ｘ方向）の位置決めを行っている。このように、凸形状部分１３の一部をＸ方向・Ｙ方向・Ｚ方向それぞれの取り付け基準としているため、本発明のプラスチック光学素子の高精度な位置決めが可能となり、結果として高品質の光学ユニットを提供することができる。
【００６０】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００６１】
１    光学面
２    非光学面
３    断面
４    樹脂部分（成形品断面部分）
５    非光学面転写用金型部材（金型入子）
６    光学面転写用金型部材（金型入子）
７    エア（圧縮空気）
８    通気口（エアスリット）
９    摺動金型部材（金型入子）
９ａ    空隙
１０,１０Ａ,１０Ｂ，１０Ｃ，２０，２０Ａ，３０，９０    プラスチック光学素子
１１    リブ
１２，１２’，９２    ひけ（不完全転写部）
１３    凸形状部分
１３ａ    側面
１４    駄肉
１４ａ    端面
１６    底板
１７    Ｘ方向位置決め基準
１８    Ｙ方向位置決め基準
１９    Ｚ方向位置決め基準
４０    光学ユニット
４１    半導体レーザ
４２    回転多面鏡
４３    レーザ走査光学系
４４    折返しミラー
４５    感光体
【先行技術文献】
【特許文献】
【００６２】
【特許文献１】特開平６−３０４９７３号公報
【特許文献２】特開平１１−２８７４５号公報
【特許文献３】特開２００６−１３３７０９号公報
【図１】
2011022320.tif 000003
【図２】
2011022320.tif 000004
【図３】
2011022320.tif 000005
【図４】
2011022320.tif 000006
【図５】
2011022320.tif 000007
【図６】
2011022320.tif 000008
【図７】
2011022320.tif 000009
【図８】
2011022320.tif 000010
【図９】
2011022320.tif 000011
【図１０】
2011022320.tif 000012
【図１１】
2011022320.tif 000013
【図１２】
2011022320.tif 000014
【図１３】
2011022320.tif 000015
【図１４】
2011022320.tif 000016
【図１５】
2011022320.tif 000017
【図１６】
2011022320.tif 000018
【図１７】
2011022320.tif 000019
【図１８】
2011022320.tif 000020
【図１９】
2011022320.tif 000021
【図２０】
2011022320.tif 000022
【図２１】
2011022320.tif 000023
【図２２】
2011022320.tif 000024